(57)【要約】【課題】  カメラのカバーを外してサービスを行う際にカメラ内部回路の電源供給を自動的にオンし、メインスイッチをオンさせるための作業を不要にして作業性を改善する。【解決手段】  カメラボディ１０を覆う上カバー１３を有するカメラにおいて、カメラボディには上カバー１３のサービススイッチ突部１３６に当接されて操作され、上カバー１３をカメラボディ１０に取着したときにオフされ、上カバー１３をカメラボディ１０から取り外したときにオンするサービススイッチＳＭＳＷを備える。サービスを行う際に上カバー１３を取り外すとサービススイッチＳＭＳＷが自動的にオンされて内部回路（ＣＰＵ）１への電源供給が行われてサービスが可能となり、サービスの作業性を改善する。【選択図】  図３
2007298595.tif 000002
【特許請求の範囲】
【請求項１】
カメラボディを覆うカバーを有するカメラにおいて、前記カメラボディには前記カバーの一部に当接されて操作され、当該カバーをカメラボディに取着したときにオフされ、当該カバーをカメラボディから取り外したときにオンするサービススイッチを備えることを特徴とするカメラ。
【請求項２】
前記サービススイッチはカメラボディに設けられた回路基板の一部に設けられた対をなす接点部で構成され、前記カバーをカメラボディに取着したときに前記接点部が互いに離反するように構成されていることを特徴とする請求項１に記載のカメラ。
【請求項３】
前記回路基板は弾性変形可能な基板で構成され、前記対をなす接点部の少なくとも一方は他方に弾接され、前記カバーをカメラボディに取着したときに当該弾接されている接点部を強制的に弾性変形して他方の接点部から離反させる構成であることを特徴とする請求項２に記載のカメラ。
【請求項４】
前記弾接される接点部は前記弾性変形可能な基板の表面に形成された導体膜で形成されていることを特徴とする請求項３に記載のカメラ。
【請求項５】
前記カバーの内面には内方に向けて突出したスイッチ突部が一体に形成され、当該カバーをカメラボディに取着したときに前記スイッチ突部は前記弾接される接点部を強制的に弾性変形して弾接状態を解除することを特徴とする請求項３又は４に記載のカメラ。
【請求項６】
カメラ内部回路を電池に電気接続するためのメインスイッチを備え、前記サービススイッチは前記メインスイッチと並列に接続されていることを特徴とする請求項１ないし５のいずれかに記載のカメラ。
【請求項７】
前記メインスイッチは前記カメラボディに設けられたスイッチ基板の表面に形成された導体膜からなる複数のランドと、前記カバーに設けられたメインスイッチ操作部に設けられ、前記カバーをカメラボディに取着したときに前記ランドを相互に導通させるための導電体とで構成されていることを特徴とする請求項６に記載のカメラ。
【請求項８】
前記サービススイッチは前記回路基板によって前記メインスイッチに電気接続されていることを特徴とする請求項６又は７に記載のカメラ。
【請求項９】
前記カバーはカメラボディの上部に取着される上カバーであり、前記メインスイッチ操作部はレリーズボタンの周囲を囲むように配置される回転レバーで構成されることを特徴とする請求項７又は８に記載のカメラ。
【請求項１０】
前記回路基板の一部には前記弾接する接点部を強制的に弾性変形して接点状態を解除するための治具が装着可能であることを特徴とする請求項２ないし９のいずれかに記載のカメラ。
【発明の詳細な説明】
【技術分野】
【０００１】
本発明はカメラの組立、あるいは修理等のサービスを行う際にスイッチを自動的にオン状態にすることを可能にしたカメラに関するものである。
【背景技術】
【０００２】
カメラには内蔵した内部回路の電源をオンするためのメインスイッチが設けられており、撮影者がメインスイッチを操作することにより内部回路に電力を供給することが可能にされている。このようなメインスイッチの構造としては、カメラボディに設けられており、カメラボディを覆うカバーに開口した窓を通してメインスイッチをカバーの外側に露出させる構造のものがある。また、メインスイッチの他の構造としては、メインスイッチのスイッチ操作部をカバーに設ける一方、カメラボディにメインスイッチの接点部を配設し、当該スイッチ操作部を操作することによって接点部をオン・オフ動作させるようにしたものがある。例えば、特許文献１のカメラでは、カバーに操作ボタンを配設してカバーの内面に設けたゴムコンタクトスイッチを操作するようにし、このゴムコンタクトスイッチによりカメラボディに設けたフレキシブルプリント板の回路配線をオン・オフさせる構成がとられている。
【特許文献１】特開平６−３５０４９号公報
【発明の開示】
【発明が解決しようとする課題】
【０００３】
特許文献１のように、カバーに設けたスイッチ操作部によりカメラボディに設けた回路基板の回路配線をオン・オフさせる構成では、カメラボディからカバーを取り外したときにはスイッチ接点でのスイッチ動作を行うことができなくなるため、回路配線をオンすることはできなくなる。そのためカメラの組立時や修理時等のようなサービス時にカバーを外したときには、メインスイッチをオンして内部回路に電源電力を供給することができず、電源を入れた状態でのカメラの内部回路の動作チェックを行うことができなくなる。そのため、従来ではカバーを外したときに、メインスイッチの接点部を短絡クリップで短絡してメインスイッチをオン状態にする方法がとられている。あるいは、予め回路基板にメインスイッチと並列なすり割り状の短絡部を形成しておき、短絡ピンで短絡したり、導電性シールを貼って短絡したり、半田で仮短絡する方法がとられている。したがって、従来のカメラではサービス時にメインスイッチや短絡部を短絡するための工程が必要になり、作業が面倒なものになるとともに、メインスイッチの接点部に短絡クリップや半田での短絡を行うと接点部を損傷してしまい、組立られたカメラでの正常なメインスイッチの動作が損なわれることがある。また、サービスが終わったときは、短絡クリップや短絡ピン或いは導電性シールを外したり半田を除去する作業が必要であり、これらの取り外しを忘れるとメインスイッチをオンしないのにもかかわらず内部回路がオンの状態のままとなり、組み立てたカメラの正常な動作が損なわれてしまう。
【０００４】
本発明の目的は、カバーを外してサービスを行う際には内部回路の電源供給を自動的にオン状態にすることで、メインスイッチをオンさせるための作業を不要にして作業性を改善することを可能にしたカメラを提供するものである。
【課題を解決するための手段】
【０００５】
本発明は、カメラボディを覆うカバーを有するカメラにおいて、カメラボディにはカバーの一部に当接されて操作され、当該カバーをカメラボディに取着したときにオフされ、カバーをカメラボディから取り外したときにオンするサービススイッチを備えることを特徴とする。特に本発明においては、カメラ内部回路を電池に電気接続するためのメインスイッチを備えており、サービススイッチはメインスイッチと並列に接続されていることを特徴とする。
【発明の効果】
【０００６】
本発明によれば、メンテナンス等のサービスを行う際にカメラのカバーを取り外すとサービススイッチが自動的にオンされる。サービススイッチをカメラの内部回路のメインスイッチと並列に接続しておけば、メインスイッチをオンさせなくてもサービススイッチにより内部回路がオン状態となり、内部回路のサービスを行うことができ、作業性を改善することができる。
【発明を実施するための最良の形態】
【０００７】
本発明において、サービススイッチはカメラボディに設けられた回路基板の一部に設けられた対をなす接点部で構成され、カバーをカメラボディに取着したときに接点部が互いに離反するように構成される。この場合、回路基板は弾性変形可能な基板で構成され、対をなす接点部の少なくとも一方は他方に弾接され、カバーをカメラボディに取着したときに当該弾接されている接点部を強制的に弾性変形して他方の接点部から離反させる構成とする。弾接される接点部は弾性変形可能な基板の表面に形成された導体膜で形成される。さらに、この場合、カバーの内面には内方に向けて突出したスイッチ突部が一体に形成され、当該カバーをカメラボディに取着したときにスイッチ突部は弾接される接点部を強制的に弾性変形して弾接状態を解除する構成とする。
【０００８】
また、本発明において構成されるメインスイッチは、例えば、カメラボディに設けられたスイッチ基板の表面に形成された導体膜からなる複数のランドと、カバーに設けられたメインスイッチ操作部に設けられ、カバーをカメラボディに取着したときにランドを相互に導通させるための導電体とで構成される。このメインスイッチに対し、サービススイッチは回路基板によって当該メインスイッチに電気接続される。
【０００９】
本発明は、好ましくは、カバーはカメラボディの上部に取着される上カバーであり、メインスイッチ操作部はレリーズボタンの周囲を囲むように配置される回転レバーで構成される。また、回路基板の一部には弾接する接点部を強制的に弾性変形して接点状態を解除するための治具が装着可能であることが好ましい。
【実施例１】
【００１０】
次に、本発明の実施例を図面を参照して説明する。図１は本発明を適用したデジタル一眼レフカメラの外観斜視図である。同図には一部のみが表われているカメラボディ１０には前カバー１１、後カバー１２、上カバー１３、下カバー１４が取着されている。前カバー１１にはレンズマウント１１１が設けられ、図には表れない撮影レンズが着脱可能にされている。上カバー１３には正面から見て左側にレリーズボタン１３１と、このレリーズボタン１３１を囲むように回転レバーで構成されるメインスイッチレバー１３２と、その他複数のスイッチ１３３が配設されている。また、正面から見て右側にダイヤル型のモードスイッチダイヤル１３４が配設されている。さらに、上カバー１３には後述する撮影情報を表示するためのＬＣＤ（液晶表示装置）１０４の表示面を開口するための表示窓１３５が配設されている。後カバー１２には図には表れないが撮影画像を表示するモニタ装置としてのＬＣＤ（液晶表示装置）が配設され、下カバー１４には図には表れないが電池蓋が設けられ電源としての電池が装填可能とされている。
【００１１】
図２は前記上カバー１３をカメラボディ１０から取り外した状態の要部の斜視図である。また、図３は後述する各スイッチの電気接続状態を示す概念図である。カメラボディ１０の前部には一部のみ図示されているがミラーボックス１０１と、このミラーボックス１０１上に設けられたファインダ装置１０２が設けられている。ミラーボックス１０１内には図１に示されているようにメインミラー１０３が配設されている。さらに、前記カメラボディ１０の上部の正面から見て左側には上カバー１３の前記表示窓１３５を通して表示するための撮影情報を表示するＬＣＤ１０４が配設され、このＬＣＤ１０４の前側には後述するメインスイッチＭＳＷ、測光スイッチＳＳＷ、レリーズスイッチＲＳＷを構成するスイッチ部２０が設けられている。スイッチ部２０絶縁板からなるスイッチ基板２１の表面に所要のパターンをしたグランドランド２２とメインスイッチランド２３と絞り込みランド２４を構成したものである。また、前記スイッチ基板２１には前記レリーズボタン１３１の押し込みによって２段にスイッチがオンするスイッチユニット２５が搭載されている。
【００１２】
前記上カバー１３に設けられているメインスイッチレバー１３２には、回転軸１３２ａの一部に導電ブラシ１３２ｂが一体に取着されており、上カバー１３をカメラボディ１０に取着したときに当該導電ブラシ１３２ｂが前記各ランド２２，２３，２４の表面に弾接することによって構成される。すなわち、メインスイッチレバー１３２を回転操作することで、導電ブラシ１３２ｂが各ランド２２，２３，２４の表面に沿って移動され、その回転位置によって導電ブラシ１３２ｂがグランドランド２２とメインスイッチランド２３に同時に接触したときにメインスイッチＭＳＷをオンさせることが可能にされている。一方、前記スイッチユニット２５には円形の窓２５ａ内に弾性を有する複数のスイッチ片２５ｂが内蔵されている。上カバー１３をカメラボディ１０に取着したときに上カバー１３に設けられているレリーズボタン１３１の操作軸（図２には表れない）の先端部が前記窓２５ａ内に進入可能とされ、レリーズボタン１３１を押下したときに操作軸が窓２５ａ内に進入してスイッチ片２５ｂを弾性変形させ、スイッチをオン動作させる。スイッチ片２５ｂは図からは明らかではないが測光スイッチ片とレリーズスイッチ片とで２段に構成されており、レリーズボタン１３１の第１の押下によってオンする測光スイッチＳＳＷと、さらなる第２の押下によってオンするレリーズスイッチＲＳＷを構成している。
【００１３】
さらに、前記カメラボディ１０の上部には前記スイッチ基板２１に電気接続したフレキシブル回路基板３０が配設される。このフレキシブル回路基板３０は前記スイッチ基板２１とカメラの内部回路とを接続するものである。前記したメインスイッチＭＳＷ、測光スイッチＳＳＷ、レリーズスイッチＲＳＷをオン・オフしたときのスイッチ信号を内部回路の主要部を構成しているＣＰＵ１に入力させる。このＣＰＵ１は、メインスイッチＭＳＷのオンによりＣＰＵ１は電池を電源として所要の処理を実行する状態となり、測光スイッチＳＳＷのオンにより測光手段を駆動して測光を行うとともにＡＦ（自動焦点）手段を駆動して焦点合わせを行い、さらにレリーズスイッチＲＳＷのオンにより撮影動作を実行する。
【００１４】
前記フレキシブル回路基板３０は、その一部に一対の細幅の帯状片３１，３２を形成し、これら帯状片でサービスメインスイッチ（以下、単にサービススイッチと称する）ＳＭＳＷを構成している。図４（ａ），（ｂ）はサービススイッチＳＭＳＷの平面図とそのＡ−Ａ線断面図である。フレキシブル回路基板３０は柔軟な樹脂シートの表面に薄い導体膜が所要のパターンに形成された公知の構成であるが、フレキシブル回路基板３０をカメラボディ１０の上面に沿って延設した上で、前記一対の帯状片３１，３２を当該カメラボディ１０の上面部に開口した切欠１０ａに臨む位置に配置し、各帯状片３１，３２を当該切欠１０ａの対向する縁部を覆うように略Ｕ字型に折り返し、各折り返し部をそれぞれビス３３，３４によってカメラボディ１０の上面部の下面に固定したものである。このとき、一方の帯状片３１は折り返し寸法を短くし、他方の帯状片３２は折り返し寸法を長めに設定して切欠１０ａを下面側から塞ぎ、帯状片３１に当接するようにする。また、各帯状片３１，３２が互いに当接する箇所には接触性を高めるための接触膜３１ａ，３２ａを形成している。これにより、前記一方の帯状片３１は固定接点部として構成される。また、フレキシブル回路基板３０は弾力性を有しているため、前記他方の帯状片３２は上方に向けての弾性力が生じており、この弾性力によって前記固定接点部に対して下方から弾接される弾性接点部として構成される。ここで、固定接点部の接触膜３１ａはグランドに電気接続され、弾性接点部の接触膜３２ａは前記メインスイッチＭＳＷのメインスイッチランド２３に電気接続されている。すなわち、サービススイッチＳＭＳＷはメインスイッチＭＳＷと並列に電気接続されていることになる。
【００１５】
また、前記上カバー１３の内面には、図２及び図３に示されるように、サービススイッチＳＭＳＷに対応する位置に下方に向けて突出した絶縁材からなるサービススイッチ突部１３６が一体的に設けられている。このサービススイッチ突部１３６は上カバー１３をカメラボディ１０に取着したときにカメラボディ１０の前記上面部の切欠１０ａ内に上方から進入位置されるようにその長さや幅の各寸法が設定されており、この実施例では矩形の柱状に形成されている。
【００１６】
このようなサービススイッチＳＭＳＷを備える実施例１のカメラでは、カメラボディ１０に上カバー１３が取着されている状態では、図５（ａ）のように、サービススイッチ突片１３６はカメラボディ１０の切欠１０ａ内に上方から進入位置された状態にある。この状態ではサービススイッチ突部１３６はサービススイッチＳＭＳＷを構成しているフレキシブル回路基板３０の弾性接点部３２に当接して当該弾性接点部３２を強制的に下方に弾性変形させている。そのため、弾性接点部３２の接触膜３２ａは固定接点部３１の接触膜３１ａとは接触しておらず、サービススイッチＳＭＳＷは開放してオフの状態にある。したがって、上カバー１３に設けられているメインスイッチレバー１３２を電源オフ位置に回転操作すれば、導電ブラシ１３２ｂはグランドランド２２の位置にあり、メインスイッチＭＳＷがオフ状態に設定される。メインスイッチレバー１３２を電源オン位置に回転操作すれば、導電ブラシ１３２ｂでメインスイッチランド２３をグランドランド２２に導通させる状態となり、メインスイッチＭＳＷがオン状態に設定される。また、レリーズボタン１３１の半押下によって操作軸がスイッチユニット２５に進入して測光スイッチＳＳＷをオンして測光、ＡＦを行ない、さらなる全押下によってレリーズスイッチＲＳＷをオンして撮像を行う。
【００１７】
カメラの組立時、あるいは修理等のサービス時においてカメラボディ１０から上カバー１３を取り外すと、メインスイッチレバー１３２の導電ブラシ１３２ｂはスイッチ基板２１の表面から離されるためメインスイッチランド２３とグランドランド２２とを導通させることができなくなり、メインスイッチＭＳＷをオンすることができなくなる。同時にレリーズボタン１３１の操作軸がスイッチユニット２５内に進入されなくなり、測光スイッチＳＳＷとレリーズスイッチＲＳＷをオンすることができなくなることは言うまでもない。一方、上カバー１３をカメラボディ１０から取り外すことによって、図５（ｂ）に示すようにサービススイッチ突部１３６は切欠１０ａから上方に退避される。そのため、弾性接点部３２はサービススイッチ突部１３６による強制変形状態が解除され、自身の弾性力によって上に弾性復帰し、固定接点部３１に下方から当接する。これにより、両接点部３１，３２の各接触膜３１ａ，３２ａが接触して電気接続されることになり、サービススイッチＳＭＳＷがオン状態となる。すなわち、弾性接点部３２に接続されているメインスイッチランド２３が固定接点部３１に接続されているグランドに電気接続されることになり、結果として、メインスイッチＭＳＷがオンされたと同じ状態になる。したがって、この状態ではＣＰＵ１の制御によってカメラの内部回路に電池の電力が供給されることになり、カメラの内部回路を駆動させて各種動作のテストやチェックを行うことが可能になる。
【００１８】
このように、実施例１のカメラでは、上カバー１３を取り外したときにはサービススイッチＳＭＳＷが自動的にオンとなり、これによりメインスイッチＭＳＷをオンしたと同じ状態にすることができるので、上カバー１３を外した状態にあるカメラの組立時や修理等のサービスが可能になる。したがって、組立時や修理時にカメラの内部回路に電力を供給させるためにメインスイッチＭＳＷにつながる配線部分を短絡させる作業が不要になる。また、サービスの終了時や組立の終了時にカメラボディ１０に上カバー１３を取着すれば、図５（ａ）に示したように、サービススイッチ突部１３６が切欠１０ａ内に進入して弾性接点部３２を下方に強制変形させて固定接点部３１との電気的な接触を解消してサービススイッチＳＭＳＷをオフし、実質的にメインスイッチＭＳＷをオフ状態にするため、仮りに短絡しておいたメインスイッチＭＳＷにつながる配線部分の短絡配線を解除するための作業も不要になる。
【実施例２】
【００１９】
実施例２は前記サービススイッチの構成の変形例である。第１の変形例は、図６（ａ）のようにカメラボディ１０の切欠１０ａに臨む一対の帯状片３１Ａ，３２Ａをそれぞれ弾性接点部とし、切欠１０ａのほぼ中央位置で両弾性接点部３１Ａ，３２Ａが互いに弾接するように構成してもよい。図６（ａ）のように切欠１０ａ内にサービススイッチ突部１３６を進入させ、両弾性接点部３１Ａ，３２Ａを離してサービススイッチＳＭＳＷをオフしたときと、図６（ｂ）のようにサービススイッチ突部１３６を切欠１０ａから退避させ、両弾性接点部３１Ａ，３２Ａが互いに接触してサービススイッチＳＭＳＷをオンしたときにおける各弾性接点部３１Ａ，３２Ａの弾性変形量が実施例１の弾性接点部３２の弾性変形量よりも少なくできるため、サービススイッチＳＭＳＷを弾力性の小さいフレキシブル回路基板３０で構成する場合にも信頼性のあるサービススイッチをすることが構成できる。
【００２０】
第２の変形例は、図７（ａ）のように、カメラボディ１０の切欠１０ａに臨むフレキシブル回路基板３０の部位に別部材で構成した接点片３５を一体的に設けたものである。接点片３５は弾性のある金属片で形成し、半田等によってフレキシブル回路基板３０の一対の帯状片３１Ｂ又は３２Ｂのいずれか一方の接触膜３１ａ，３２ａに接続する。ここでは、接点片３５を帯状片３２Ｂと重ねてビス３４によりカメラボディ１０に一体的に締結することで、機械的及び電気的な接続を行っている。図７（ａ）のように、サービススイッチ突部１３６を切欠に進入させて接点片３５を一方の帯状片３１Ｂの接点膜３１ａから離してオフさせる。また、図７（ｂ）のように、サービススイッチ突部１３６を切欠１０ａから退避させて接点片３５を帯状片３１Ｂの接点膜３１ａに接してオンさせる。この第２の変形例ではフレキシブル回路基板３０に帯状片を設け、これを折り返して弾性接点部を形成する必要がないため、構造及び製造の簡略化を図る上で有利である。
【００２１】
また、第３の変形例として、サービス時に上カバーを取り外したときにメインスイッチをオフしたい場合が生じたとき、すなわちサービススイッチをオフしたい場合が生じたときには、図８（ａ）のような治具３６を用意しておけばよい。この治具３６は絶縁材で形成されて実施例１のサービススイッチ突部１３６とほぼ同じ形状をした挿入部３６ａと、当該治具を手で掴み易くするための保持部３６ｂとで構成される。上カバーを取り外したときに、図８（ｂ）のように、カメラボディ１０の切欠１０ａに治具３６の挿入部３６ａを挿入すれば弾性接点部３２を変形させてサービススイッチＳＭＳＷをオフすることができる。治具３６を切欠１０ａから引き抜けば図５（ｂ）と同様に元の状態に戻りサービススイッチＳＭＳＷはオン状態となる。なお、図示は省略するが挿入部３６ａの先端を樽型に形成しておくことで切欠１０ａに挿入したときの治具３６の脱落を防ぐこともできる。また、図示は省略するが治具３６を切欠１０ａ内に挿入した状態のままカメラボディ１０に上カバー１３を取着しようとしてもサービススイッチ突部１３６と治具３６が干渉して上カバー１３を取着することができないため、治具３６を挿入したままカメラを組み立ててしまうようなことはない。
【００２２】
本発明はカメラのカバーを取り外したときにオンすることができなくなるスイッチで、カバーを取り外した状態でも当該スイッチをオンする必要があるようなスイッチであれば実施例と同様にして本発明を適用することが可能である。したがって、実施例１のようなメインスイッチに限られるものではない。また、カメラのスイッチが配設されるカバーであれば前カバー、後カバー、下カバーであってもよい。
【図面の簡単な説明】
【００２３】
【図１】本発明をデジタル一眼レフカメラに適用した実施例の外観図である。
【図２】上カバーを取り外した要部の拡大斜視図である。
【図３】サービススイッチと他のスイッチの電気接続を示す概念図である。
【図４】サービススイッチの平面図とＡ−Ａ線断面図である。
【図５】サービススイッチの動作を説明する断面図である。
【図６】サービススイッチの第１の変形例の断面図である。
【図７】サービススイッチの第２の変形例の断面図である。
【図８】サービススイッチの第３の変形例の断面図である。
【符号の説明】
【００２４】
１  ＣＰＵ
１０  カメラボディ
１３  上カバー
２０  スイッチ部
３０  フレキシブル回路基板
３１  固定接点部
３２  弾性接点部
１３１  レリーズボタン
１３２  メインスイッチレバー
１３６  サービススイッチ突部
ＳＳＷ  測光スイッチ
ＲＳＷ  レリーズスイッチ
ＭＳＷ  メインスイッチ
ＳＭＳＷ  サービスメインスイッチ（サービススイッチ）
【図１】
2007298595.tif 000003
【図２】
2007298595.tif 000004
【図３】
2007298595.tif 000005
【図４】
2007298595.tif 000006
【図５】
2007298595.tif 000007
【図６】
2007298595.tif 000008
【図７】
2007298595.tif 000009
【図８】
2007298595.tif 000010